(57)【要約】【課題】より優れた偽造防止効果を発揮する情報記録媒体を提供する。【解決手段】本発明の情報記録媒体１は、赤外線反射性を有している基材３０と、前記基材３０上に設けられ、赤外領域内に吸収ピーク波長を有している赤外線吸収性インキからなり、前記吸収ピーク波長の光で照明して前記吸収ピーク波長の反射光を観察したときに第１画像を表示する第１印刷パターン１０と、前記基材３０上に設けられ、赤外領域内であって前記吸収ピーク波長とは異なる位置に発光ピーク波長を有している蛍光インキからなり、前記蛍光インキを発光させて前記発光ピーク波長の反射光を観察したときに前記第１画像の位置と少なくとも部分的に重なり合った位置に第２画像を表示する第２印刷パターン２０とを具備したことを特徴とする。【選択図】      図４
2009137129.tif 000002
【特許請求の範囲】
【請求項１】
赤外線反射性を有している基材と、
前記基材上に設けられ、赤外領域内に吸収ピーク波長を有している赤外線吸収性インキからなり、前記吸収ピーク波長の光で照明して前記吸収ピーク波長の反射光を観察したときに第１画像を表示する第１印刷パターンと、
前記基材上に設けられ、赤外領域内であって前記吸収ピーク波長とは異なる位置に発光ピーク波長を有している蛍光インキからなり、前記蛍光インキを発光させて前記発光ピーク波長の反射光を観察したときに前記第１画像の位置と少なくとも部分的に重なり合った位置に第２画像を表示する第２印刷パターンとを具備したことを特徴とする情報記録媒体。
【請求項２】
前記基材上で前記第１印刷パターンと面内方向に隣り合い、前記吸収ピーク波長における光学特性が前記赤外線吸収性インキとは異なる非発光性の第１ダミーインキからなり、肉眼で観察した場合に前記第１印刷パターンと同じ色に見える第３印刷パターンと、
前記基材上で前記第２印刷パターンと面内方向に隣り合い、前記吸収ピーク波長における光学特性が前記赤外線吸収性インキとは異なる非発光性の第２ダミーインキからなり、肉眼で観察した場合に前記第２印刷パターンと同じ色に見える第４印刷パターンとを更に具備したことを特徴とする請求項１に記載の情報記録媒体。
【請求項３】
前記第１及び第２印刷パターンを被覆し、前記吸収ピーク波長における光学特性が前記赤外線吸収性インキとは異なる非発光性のプロセスインキからなるインキ層を更に具備したことを特徴とする請求項１又は２に記載の情報記録媒体。
【請求項４】
前記プロセスインキは黒色以外のインキであることを特徴とする請求項３に記載の情報記録媒体。
【請求項５】
請求項１乃至４の何れか１項に記載の情報記録媒体に赤外線を照射し、これにより前記情報記録媒体が放射する光を、前記蛍光インキの発光を遮り且つ前記赤外線吸収性インキが吸収を示す波長域の赤外光の少なくとも一部を透過させる第１光学フィルタを介して検出することによって前記第１画像を読み取ることと、
前記情報記録媒体に前記蛍光インキの蛍光を生じさせる励起光を照射し、これにより前記情報記録媒体が放射する光を、前記赤外線吸収性インキが吸収を示す波長域の赤外光を遮り且つ前記蛍光インキの発光の少なくとも一部を透過させる第２光学フィルタを介して検出することによって前記第２画像を読み取ることとを含んだことを特徴とする読み取り方法。
【発明の詳細な説明】
【技術分野】
【０００１】
本発明は、情報記録媒体及び読み取り方法に関する。
【背景技術】
【０００２】
クレジットカード、パスポート及び有価証券などの媒体には、偽造が困難であることが望まれる。そのため、このような媒体には、特定の情報が記録された識別マークが設けられることが多い。この場合、当該識別マークを読み取ることにより、上記媒体が真正品であることなどの確認を行うことができる。
【０００３】
識別マークが設けられた媒体の偽造を防止するためには、上記識別マークの偽造及び改ざんを抑止する必要がある。そのため、上記識別マークが不正に読み取られるのを妨げるべく、様々な工夫が為されている。
【０００４】
例えば、特許文献１には、赤外線吸収性に優れ且つ可視光の吸収が少ないインキ組成物を用いて識別マークを形成することにより、識別マークを目視によって視認され難くする技術が開示されている。
【０００５】
また、特許文献２には、近赤外領域に蛍光波長を有する複数の蛍光インキを用いて識別マークを形成することにより、識別マークを目視によって視認され難くすると共に、単一の蛍光インキを使用した場合と比較して検出感度をより向上させる技術が開示されている。
【特許文献１】特開２０００−３０９７３６号公報
【特許文献２】特許第３３９１８２５号公報
【発明の開示】
【発明が解決しようとする課題】
【０００６】
しかしながら、これらの技術を適用して識別マークを形成した情報記録媒体であっても、通常の赤外線カメラなどを使用することにより比較的容易に識別マークが読み取られてしまうという問題点があった。
【０００７】
そこで、本発明は、この問題点を解決し、より優れた偽造防止効果を発揮する情報記録媒体を提供することを目的とする。
【課題を解決するための手段】
【０００８】
本発明の第１側面によると、赤外線反射性を有している基材と、前記基材上に設けられ、赤外領域内に吸収ピーク波長を有している赤外線吸収性インキからなり、前記吸収ピーク波長の光で照明して前記吸収ピーク波長の反射光を観察したときに第１画像を表示する第１印刷パターンと、前記基材上に設けられ、赤外領域内であって前記吸収ピーク波長とは異なる位置に発光ピーク波長を有している蛍光インキからなり、前記蛍光インキを発光させて前記発光ピーク波長の反射光を観察したときに前記第１画像の位置と少なくとも部分的に重なり合った位置に第２画像を表示する第２印刷パターンとを具備したことを特徴とする情報記録媒体が提供される。
【０００９】
本発明の第２側面によると、第１側面に係る情報記録媒体に赤外線を照射し、これにより前記情報記録媒体が放射する光を、前記蛍光インキの発光を遮り且つ前記赤外線吸収性インキが吸収を示す波長域の赤外光の少なくとも一部を透過させる第１光学フィルタを介して検出することによって前記第１画像を読み取ることと、前記情報記録媒体に前記蛍光インキの蛍光を生じさせる励起光を照射し、これにより前記情報記録媒体が放射する光を、前記赤外線吸収性インキが吸収を示す波長域の赤外光を遮り且つ前記蛍光インキの発光の少なくとも一部を透過させる第２光学フィルタを介して検出することによって前記第２画像を読み取ることとを含んだことを特徴とする読み取り方法が提供される。
【発明の効果】
【００１０】
本発明によると、より優れた偽造防止効果を発揮する情報記録媒体を提供することが可能となる。
【発明を実施するための最良の形態】
【００１１】
以下、本発明の態様について、図面を参照しながら詳細に説明する。なお、各図において、同様又は類似した機能を発揮する構成要素には同一の参照符号を付し、重複する説明は省略する。
【００１２】
図１乃至図３は、本発明の一態様に係る情報記録媒体を概略的に示す平面図である。図４は、図１乃至図３に示す情報記録媒体のＩＶ−ＩＶ線に沿った断面の一部分を示す拡大図である。
【００１３】
情報記録媒体１は、基材３０と、基材３０上に設けられた第１印刷パターン１０及び第２印刷パターン２０と、これらを被覆しているインキ層４０とを含んでいる。
【００１４】
基材３０は、赤外線反射性を有している。この基材３０としては、例えば、白色コート紙又は白色のプラスチック板を使用することができる。この基材３０は、その全体が赤外線を反射する機能を有していてもよく、その一部のみが赤外線を反射する機能を有していてもよい。ここでは、一例として、基材３０は、その全体が赤外線を反射する機能を有しているとする。
【００１５】
第１印刷パターン１０は、赤外領域内に吸収ピーク波長を有している赤外線吸収性インキからなる。この赤外線吸収性インキとしては、典型的には、可視光の吸収が少ないものを使用する。このような赤外線吸収性インキとしては、例えば、フタロシアニン化合物及び熱線ガラスなどの赤外線吸収性染料又は顔料と透明樹脂との混合物を使用することができる。
【００１６】
典型的には、第１印刷パターン１０は、肉眼での識別が不可能又は困難な潜像を形成している。そして、この第１印刷パターン１０は、赤外線を照射して上記吸収ピーク波長の反射光を観察することにより、第１画像１１を表示する。この第１画像１１は、例えば、１次元又は２次元コードなどの識別マークである。図２には、その一例として、１次元コードを描いている。
【００１７】
第２印刷パターン２０は、赤外領域内であって上記吸収ピーク波長とは異なる位置に発光ピーク波長を有している蛍光インキからなる。この蛍光インキとしては、典型的には、可視光の吸収及び可視領域における発光が少ないものを使用する。このような蛍光インキとしては、例えば、可視光の吸収及び可視領域における発光が少ない赤外蛍光体と透明樹脂との混合物を使用することができる。この赤外蛍光体としては、例えば、一般式Ｌｎ1-x-yＮｄxＹｂyＡ3（ＭＯ4）4（ＬｎはＢｉ、Ｃｅ、Ｇａ、Ｇｄ、Ｉｎ，Ｌａ、Ｌｕ、Ｓｂ、Ｓｃ及びＹからなる群より選択される少なくとも一種類の元素、ＡはＫ及びＮａからなる群より選択される少なくとも一種類の元素、ＭはＷ及びＭｏからなる群より選択される少なくとも一種類の元素）で表される化合物を使用することができる。
【００１８】
典型的には、第２印刷パターン２０は、潜像を形成している。そして、この第２印刷パターン２０は、上記蛍光インキを発光させて上記発光ピーク波長の反射光を観察することにより、第２画像２１を表示する。この第２画像２１は、典型的には、第１画像１１とは異なる情報を有している識別マークである。図３には、その一例として、２次元コードを描いている。
【００１９】
この第２画像２１は、上記第１画像１１の位置と少なくとも部分的に重なり合った位置に表示される。そのため、様々な波長の赤外線を検出する通常の観察条件下では、一方の画像が他方の画像のノイズとなり、両画像共に読み取りが困難となる。したがって、情報記録媒体１は、印刷パターン１０及び２０の一方を省略した場合、及び、第１画像１１の位置と第２画像２１の位置とを互いから離間させた場合と比較して、より優れた偽造防止効果を発揮する。
【００２０】
インキ層４０は、上記吸収ピーク波長における光学特性が上記赤外線吸収性インキとは異なる非発光性のプロセスインキからなる。インキ層４０は、典型的には、表示色が異なる複数の印刷パターンを含んでいる。インキ層４０は、典型的には、赤外線の吸収の少ないインキ、例えば、黒色以外のプロセスインキを用いて形成する。
【００２１】
このインキ層４０を設けることにより、上記第１印刷パターン１０及び第２印刷パターン２０が肉眼でより視認され難くなる。すなわち、インキ層４０を設けることにより、情報記録媒体１の偽造防止効果がさらに向上する。また、インキ層４０を設けることにより、情報記録媒体１の意匠性を高めることや、肉眼で視認可能な可視情報を記録することができる。
【００２２】
第１画像１１は、例えば、以下の方法により読み取ることができる。
【００２３】
図５は、第１画像１１の読み取り方法を示す概念図である。
【００２４】
この方法では、まず、情報記録媒体１に対して、赤外線６０Ａを照射する。次に、これにより情報記録媒体１が放射する光を、上記蛍光インキの発光を遮り且つ上記赤外線吸収性インキが吸収を示す波長域の赤外光の少なくとも一部を透過させる第１光学フィルタ７０Ａを介して、赤外線読み取り装置８０によって検出する。そして、得られたデータを画像化し、モニタ９０に表示する。このようにして、図２に示すような第１画像１１を読み取る。
【００２５】
一方、第２画像２１は、例えば、以下のようにして読み取ることができる。
【００２６】
図６は、第２画像２１の読み取り方法を示す概念図である。
【００２７】
この方法では、まず、情報記録媒体１に対して、上記蛍光インキの蛍光を生じさせる励起光６０Ｂを照射する。次に、これにより情報記録媒体１が放射する光を、上記赤外線吸収性インキが吸収を示す波長域の赤外光を遮り且つ前記蛍光インキの発光の少なくとも一部を透過させる第２光学フィルタ７０Ｂを介して、赤外線読み取り装置８０によって検出する。そして、得られたデータを画像化し、モニタ９０に表示する。このようにして、図３に示すような第２画像２１を読み取る。
【００２８】
なお、上記の第１光学フィルタ７０Ａ及び第２光学フィルタ７０Ｂを介さずに読み取りを試みた場合、先に説明した通り、第１画像１１と第２画像２１とが重なって検出されてしまう。すなわち、この場合、一方の画像が他方の画像のノイズとなり、各々の画像を分離して読み取ることは極めて困難である。
【００２９】
この情報記録媒体１は、例えば、以下のようにして製造する。
【００３０】
まず、白色コート紙などの赤外線反射性を有している基材３０上に、赤外線吸収性インキからなる第１印刷パターン１０と、蛍光インキからなる第２印刷パターン２０とを印刷する。その後、これらを被覆するようにして、インキ層４０を形成する。このようにして、情報記録媒体１を得る。
【００３１】
この情報記録媒体１には、様々な変形が可能である。例えば、情報記録媒体１は、基材３０の背面に、粘着層を更に備えていてもよい。この場合、情報記録媒体１は、偽造防止効果を備えたステッカーなどとして使用することができる。
【００３２】
また、情報記録媒体１からインキ層４０の少なくとも一部を省略してもよい。この場合、情報記録媒体１は、例えば、印刷及び筆記などが可能なセキュリティ用紙として使用することができる。
【００３３】
図７は、図１乃至図６に示す情報記録媒体の一変形例に係る断面図である。
【００３４】
この情報記録媒体１は、第３印刷パターン１０ｄと第４印刷パターン２０ｄとを更に含んでいること以外は、図１乃至図６を参照しながら説明した情報記録媒体と同様の構成を有している。
【００３５】
第３印刷パターン１０ｄは、基材３０上で、第１印刷パターン１０と面内方向に隣り合っている。この第３印刷パターン１０ｄは、上記吸収ピーク波長における光学特性が上記赤外線吸収性インキとは異なる非発光性の第１ダミーインキからなる。この第１ダミーインキは、肉眼で観察した場合に上記第１印刷パターン１０と同じ色に見える。
【００３６】
第４印刷パターン２０ｄは、基材３０上で、第２印刷パターン２０と面内方向に隣り合っている。この第４印刷パターン２０ｄは、上記吸収ピーク波長における光学特性が上記赤外線吸収性インキとは異なる非発光性の第２ダミーインキからなる。この第２ダミーインキは、肉眼で観察した場合に上記第２印刷パターン２０と同じ色に見える。
【００３７】
これら第３印刷パターン１０ｄ及び第４印刷パターン２０ｄを設けると、第１印刷パターン１０及び第２印刷パターン２０が着色している場合であっても、それらの肉眼での視認を困難とすることができる。そして、第１印刷パターン１０及び／又は第２印刷パターンに起因した凹凸を生じるのを抑制できる。したがって、図７のような構成を採用することにより、情報記録媒体１の偽造防止効果をより向上させることができる。
【００３８】
この情報記録媒体１は、例えば、以下のようにして製造する。
【００３９】
まず、白色コート紙など基材３０上に、赤外線吸収性インキを用いて、第１印刷パターン１０を印刷する。その後、例えば、この第１印刷パターン１０のネガ版を用いて、第３印刷パターン１０ｄを印刷する。次に、蛍光インキを用いて第２印刷パターン２０を印刷する。その後、例えば、この第２印刷パターン２０のネガ版を用いて、第４印刷パターン２０ｄを印刷する。続いて、これらの印刷パターンを被覆するようにして、インキ層４０を形成する。以上のようにして、情報記録媒体１を得る。
【実施例】
【００４０】
以下、本発明の実施例を説明するが、本発明はそれらに限定されるものではない。
【００４１】
＜赤外線吸収性インキ及び蛍光インキの調製及び評価＞
下記表１に示す組成の赤外線吸収性インキを調製した。また、下記表２に示す組成の蛍光インキを調製した。
【表１】
2009137129.tif 000003
【００４２】
【表２】
2009137129.tif 000004
【００４３】
図８は、上記赤外線吸収性インキの反射スペクトルの測定結果を示す図である。図８において、横軸は入射光の波長を示し、縦軸は反射率を示している。
【００４４】
この結果から分かるように、上記赤外線吸収性インキは、８５０ｎｍ付近に吸収ピーク波長を有している。
【００４５】
図９は、上記蛍光インキの励起スペクトル及び蛍光スペクトルの測定結果を示す図である。図９において、横軸は励起光及び蛍光の波長を示し、縦軸は蛍光強度（任意単位）を示している。
【００４６】
この結果から分かるように、上記蛍光インキは、８００ｎｍ付近に励起ピーク波長を有し、９５０ｎｍ付近に蛍光ピーク波長を有している。
【００４７】
（例１）
＜媒体Ｍ１の作製＞
図１乃至図６を参照しながら説明したのと同様の情報記録媒体を、以下のようにして製造した。
【００４８】
まず、白色コート紙に、上記赤外線吸収性インキを用いて、第１印刷パターン１０をオフセット印刷法により印刷した。次に、上記蛍光インキを用いて、第２印刷パターン２０を印刷した。続いて、下記表３に示すプロセスインキを用いて、インキ層４０を形成した。以下、このようにして得られた情報記録媒体を「媒体Ｍ１」と呼ぶ。
【表３】
2009137129.tif 000005
【００４９】
＜媒体Ｍ１に記録された情報の読み取り＞
まず、この媒体Ｍ１を目視で観察したところ、インキ層４０のみが視認され、第１印刷パターン１０及び第２印刷パターン２０は視認されなかった。
【００５０】
次に、この媒体Ｍ１中の第１画像１１及び第２画像２１の読み取りを、以下のようにして行った。
【００５１】
まず、８５０ｎｍ付近にシャープな発光を示すＬＥＤを用いて、媒体Ｍ１に対して赤外線を照射した。そして、この赤外線に対する反射光を、８５０ｎｍ付近に透過特性を有している第１光学フィルタを介して、ＣＣＤカメラで検出した。これを画像化したところ、上記第１画像１１の部分は暗色として、その他の部分は明色として観察され、第１画像１１を明瞭に読み取ることができた。
【００５２】
次に、８００ｎｍ付近にシャープな発光を示すＬＥＤを用いて、媒体Ｍ１に対して励起光を照射した。そして、この照射により発生した蛍光を、９５０ｎｍ付近に透過特性を有している光学フィルタを介して、ＣＣＤカメラで検出した。これを画像化したところ、上記第２画像２１の部分は明色として、その他の部分は暗色として表示され、第２画像２１を明瞭に読み取ることができた。
【００５３】
（例２）
＜媒体Ｍ２の作製＞
図７を参照しながら説明したのと同様の情報記録媒体を、以下のようにして製造した。
【００５４】
まず、白色コート紙に、上記赤外線吸収性インキを用いて、第１印刷パターン１０をオフセット印刷により印刷した。その後、この第１印刷パターン１０のネガ版を用いて、下記表４に示すインキを適宜混合して調製した第１ダミーインキからなる第３印刷パターン１０ｄをオフセット印刷により印刷した。
【表４】
2009137129.tif 000006
【００５５】
次に、上記蛍光インキを用いて、第２印刷パターン２０を印刷した。その後、この第２印刷パターン２０のネガ版を用いて、上記表４に示すインキを適宜混合して調製した第２ダミーインキからなる第４印刷パターン２０ｄをオフセット印刷により印刷した。
【００５６】
続いて、上記表３に示すプロセスインキを用いて、インキ層４０を形成した。以下、このようにして得られた情報記録媒体を「媒体Ｍ２」と呼ぶ。
【００５７】
＜媒体Ｍ２に記録された情報の読み取り＞
まず、この媒体Ｍ２を目視で観察したところ、インキ層４０のみが視認され、第１印刷パターン１０及び第２印刷パターン２０は視認されなかった。
【００５８】
次に、この媒体Ｍ２中の第１画像１１及び第２画像２１の読み取りを、先に媒体Ｍ１について述べたのと同様の方法により行った。その結果、媒体Ｍ１の場合と同様に、第１画像１１及び第２画像２１を明瞭な画像として読み取ることができた。
【図面の簡単な説明】
【００５９】
【図１】本発明の一態様に係る情報記録媒体を概略的に示す平面図。
【図２】本発明の一態様に係る情報記録媒体を概略的に示す平面図。
【図３】本発明の一態様に係る情報記録媒体を概略的に示す平面図。
【図４】図１乃至図３に示す情報記録媒体のＩＶ−ＩＶ線に沿った断面の一部分を示す拡大図。
【図５】第１画像の読み取り方法を示す概念図。
【図６】第２画像の読み取り方法を示す概念図。
【図７】図１乃至図４に示す情報記録媒体の一変形例に係る断面図。
【図８】赤外線吸収性インキの反射スペクトルの測定結果を示す図。
【図９】蛍光インキの励起スペクトル及び蛍光スペクトルの測定結果を示す図。
【符号の説明】
【００６０】
１…情報記録媒体、１０…第１印刷パターン、１０ｄ…第３印刷パターン、１１…第１画像、２０…第２印刷パターン、２０ｄ…第４印刷パターン、２１…第２画像、３０…基材、４０…インキ層、６０Ａ…赤外線、６０Ｂ…励起光、７０Ａ…第１光学フィルタ、７０Ｂ…第２光学フィルタ、８０…赤外線読み取り装置、９０…モニタ。
【図１】
2009137129.tif 000007
【図２】
2009137129.tif 000008
【図３】
2009137129.tif 000009
【図４】
2009137129.tif 000010
【図５】
2009137129.tif 000011
【図６】
2009137129.tif 000012
【図７】
2009137129.tif 000013
【図８】
2009137129.tif 000014
【図９】
2009137129.tif 000015